(57)【要約】      （修正有）【課題】男性器に対する締付けや圧迫による刺激が人工的ではなく、慣れや飽きの生じ難い自然な刺激であり、射精促進効果がより高い射精促進器具を提供する。【解決手段】柔軟で弾力性を有する素材からなると共に男性器挿入部を有する筒状内装体２と、筒状内装体が嵌挿されて該筒状内装体の形状を被覆保持するケース体となる外装体３とを有して構成され、外装体が、可撓性材料で形成されると共に、長手方向の一端側から他端側に延伸するスリット状透孔３１が複数本形成された構成であり、外装体の外周面には、長手方向に位置移動可能な締付リング体４が着脱可能に装着される構成であり、締付リング体の装着位置に応じて前記外装体の直径が可変され、この外装体の直径の可変によって筒状内装体に対する嵌挿圧力が可変し、この嵌挿圧力の可変によって男性器挿入部に挿入される男性器に対する締付圧力を調節することが可能な構成である。【選択図】図１
2015112317.tif 000002
【特許請求の範囲】
【請求項１】
軸方向に長く且つ柔軟で弾力性を有する素材からなると共に長手方向の一端から男性器が挿入される男性器挿入部を有する筒状内装体と、
該筒状内装体が嵌挿されて該筒状内装体の形状を被覆保持するケース体となる外装体と、
を有して構成される射精促進器具において、
前記外装体が、可撓性材料で形成されると共に、長手方向の一端側から他端側に延伸するスリット状透孔が複数本形成された構成であり、
更に、該外装体の外周面には、長手方向に位置移動可能な締付リング体が着脱可能に装着される構成であり、
前記締付リング体の装着位置に応じて前記外装体の直径が可変され、この外装体の直径の可変によって該外装体に嵌挿された前記筒状内装体に対する嵌挿圧力が可変し、この嵌挿圧力の可変によって前記男性器挿入部に挿入される男性器に対する締付圧力を調節することが可能な構成であること、
を特徴とする射精促進器具。
【請求項２】
前記外装体の外周面であって前記締付リング体が装着される装着位置の範囲における該外装体の直径が長手方向の一方から他方に向かって無段階に又は段階的に大となる構成であることを特徴とする請求項１に記載の射精促進器具。
【請求項３】
前記外装体の外周面には、長手方向に任意の間隔で並ぶ複数の突起が設けられており、該突起を前記締付リング体が越えて位置移動させることにより該締付リング体の装着位置を任意の位置に設定することが可能であることを特徴とする請求項１又は２に記載の射精促進器具。
【請求項４】
前記筒状内装体の男性器挿入部が設けられた一端側である前記外装体の一端部分にキャップ体が着脱可能に装着される構成であることを特徴とする請求項１〜３のいずれかに記載の射精促進器具。
【請求項５】
前記キャップ体にはロート状部が設けられており、該ロート状部のロート先部を前記男性器挿入部に進入させることにより、前記男性器挿入部の内部にローションを流入させることが可能な構成であることを特徴とする請求項４に記載の射精促進器具。
【請求項６】
前記ローションが、液体状、ゾル状、ゲル状、固体状、粒状、カプセル状、コアシェル状から選ばれる少なくとも一つであることを特徴とする請求項５に記載の射精促進器具。
【発明の詳細な説明】
【技術分野】
【０００１】
本発明は射精促進器具に関し、詳しくは男性器の射精用のマッサージに用いる際に有効な射精促進効果が得られる器具に関する。
【背景技術】
【０００２】
従来、男性器の射精用のマッサージに用いられる器具は種々構成のものが提案されている（例えば、特許文献１〜４等参照）。
【０００３】
特許文献１の技術は、柔軟で弾力性を有する素材からなり、男性器が挿入される挿入部を有する内装体と、この内装体を被覆保持するコップ形状のケース体と、から構成されている。
【０００４】
特許文献２の技術は、柔軟な素材からなり、男性器が挿入される挿入部を有する筒状体と、この筒状体の外周面に形成された溝部に取り付けて前記筒状体を締め付けるゴム等の弾性を有する締付具と、から構成されている。
【０００５】
特許文献３及び４の技術は、柔軟で弾力性を有する素材からなり、男性器が挿入される挿入部を有する内装体と、この内装体が嵌挿されて被覆保持するケース体となる外装体と、外装体に複数穿かれた透孔の内側に配設されて内装体を圧迫する押圧具と、から構成されている。
【先行技術文献】
【特許文献】
【０００６】
【特許文献１】特開平０８−３０８９０１号公報
【特許文献２】特開２００４−２７５６６１号公報
【特許文献３】特開２０１１−２３５０４４号公報
【特許文献４】実用新案登録第３１８４９０１号公報
【発明の概要】
【発明が解決しようとする課題】
【０００７】
特許文献１の技術は、利用者によっては男性器に対する刺激が人工的であり抑揚がなく飽き易いと感じられる場合があるという問題点を有している。
【０００８】
そこで特許文献２の技術では、筒状体を締め付ける締付具を長手方向の任意の位置に取り付けることによって、男性器に対する締付位置を任意の所望位置に利用者が設定することができる構成となっている。
【０００９】
また特許文献３及び４の技術では、複数設けられている押圧具の内、任意の位置に設けられた押圧具に指圧力を加えることによって、男性器に対する圧迫位置を任意の所望位置に利用者が設定することができる構成となっている。
【００１０】
しかし特許文献２の技術による締付けは、締付具を取り付けた部分に限定された局所的な締付けとなるため人工的な作り物の刺激に感じられ、利用者によっては刺激に対する慣れや飽きが生じてしまう場合があるという問題点を有している。
【００１１】
また特許文献３及び４の技術による圧迫についても、指圧力を加えた部分に限定された局所的な圧迫となるため、特許文献２による技術と同様に人工的な作り物の刺激に感じられ、利用者によっては刺激に対する慣れや飽きが生じてしまう場合があった。更に、当該技術の指圧力による圧迫は、利用者が常に手指による圧力を掛け続ける必要があるため、圧力の掛け具合を常に意識する必要があり、刺激に対する気持ちが削がれてしまう場合があるという問題点を有している。
【００１２】
そこで本発明の課題は、男性器に対する締付けや圧迫による刺激が人工的ではなく、慣れや飽きの生じ難い自然な刺激であり、射精促進効果がより高い射精促進器具を提供することにある。
【課題を解決するための手段】
【００１３】
上記課題を解決する本発明は下記構成を有する。
【００１４】
１．軸方向に長く且つ柔軟で弾力性を有する素材からなると共に長手方向の一端から男性器が挿入される男性器挿入部を有する筒状内装体と、
該筒状内装体が嵌挿されて該筒状内装体の形状を被覆保持するケース体となる外装体と、
を有して構成される射精促進器具において、
前記外装体が、可撓性材料で形成されると共に、長手方向の一端側から他端側に延伸するスリット状透孔が複数本形成された構成であり、
更に、該外装体の外周面には、長手方向に位置移動可能な締付リング体が着脱可能に装着される構成であり、
前記締付リング体の装着位置に応じて前記外装体の直径が可変され、この外装体の直径の可変によって該外装体に嵌挿された前記筒状内装体に対する嵌挿圧力が可変し、この嵌挿圧力の可変によって前記男性器挿入部に挿入される男性器に対する締付圧力を調節することが可能な構成であること、
を特徴とする射精促進器具。
【００１５】
２．前記外装体の外周面であって前記締付リング体が装着される装着位置の範囲における該外装体の直径が長手方向の一方から他方に向かって無段階に又は段階的に大となる構成であることを特徴とする上記１に記載の射精促進器具。
【００１６】
３．前記外装体の外周面には、長手方向に任意の間隔で並ぶ複数の突起が設けられており、該突起を前記締付リング体が越えて位置移動させることにより該締付リング体の装着位置を任意の位置に設定することが可能であることを特徴とする上記１又は２に記載の射精促進器具。
【００１７】
４．前記筒状内装体の男性器挿入部が設けられた一端側である前記外装体の一端部分にキャップ体が着脱可能に装着される構成であることを特徴とする上記１〜３のいずれかに記載の射精促進器具。
【００１８】
５．前記キャップ体にはロート状部が設けられており、該ロート状部のロート先部を前記男性器挿入部に進入させることにより、前記男性器挿入部の内部にローションを流入させることが可能な構成であることを特徴とする上記４に記載の射精促進器具。
【００１９】
６．前記ローションが、液体状、ゾル状、ゲル状、固体状、粒状、カプセル状、コアシェル状から選ばれる少なくとも一つであることを特徴とする上記５に記載の射精促進器具。
【発明の効果】
【００２０】
請求項１に示す発明によれば、男性器に対する締付けや圧迫による刺激が人工的ではなく、慣れや飽きの生じ難い自然な刺激であり、射精促進効果がより高い射精促進器具を提供することができる。
【００２１】
特に、可撓性を有する外装体の直径が可変して絞られるように締付リングが締め付ける構成によって、外装体を介して該外装体に嵌挿された筒状内装体が局所的な締付けではなく略全域に亘って絞られるように圧迫を受けることになるので、該筒状内装体の男性器挿入部に挿入する男性器はその長手方向広範囲に亘って絞られるように締め付けられることになる。従って、その刺激は人工的な作り物のような刺激ではなく、より自然な刺激となるので射精促進効果が極めて高いという効果を有する。
【００２２】
請求項２に示す発明によれば、外装体の外周面に装着した締付リング体２を長手方向に移動させてその装着位置を変えることにより外装体に対する締付具合を変えることができる。従って、男性器挿入部に挿入する男性器に対する締付具合・圧迫具合を容易に変更調整することができる。
【００２３】
請求項３に示す発明によれば、男性器を挿入した状態での射精促進器具の長手方向への往復動の際、この往復動を素早く乃至は激しく行った場合であっても、締付リングの装着位置からの位置ズレが生じ難いという効果を有する。
【００２４】
請求項４に示す発明によれば、筒状内装体の男性器挿入部が設けられた一端側を非使用時に被覆して保護することができる。
【００２５】
請求項５に示す発明によれば、筒状内装体の男性器挿入部の内部に容易且つ確実にローションを流入させることができる。
【００２６】
請求項６に示す発明によれば、様々な性質・効果等を有する種々のローションを用いることにより、種々様々な刺激効果を追加することができる。
【図面の簡単な説明】
【００２７】
【図１】本発明に係る射精促進器具の一実施例を示す正面図
【図２】図１に示す射精促進器具の断面図
【図３】図１に示す射精促進器具の概略分解図
【図４】締付リングによる締付けを最強度に設定した態様を示す正面図
【図５】締付リングによる締付けを中度に設定した態様を示す正面図
【図６】本発明の射精促進器具に付加するキャップ体の一例を示す正面図
【図７】図６に示すキャップ体の使用例を示す断面図
【発明を実施するための形態】
【００２８】
次に、添付の図面に従って本発明を実施例に基づき詳細に説明する。
【００２９】
本発明に係る射精促進器具は、男性器の自慰行為等の射精用のマッサージに用いる際に有効な射精促進効果が得られる器具である。
【００３０】
本発明の射精促進器具の具体的構成例としては、図１〜図７に示すように、
軸方向に長く且つ柔軟で弾力性を有する素材からなると共に長手方向の一端から男性器が挿入される男性器挿入部２１を有する筒状内装体２と、
該筒状内装体２が嵌挿されて該筒状内装体２の形状を被覆保持するケース体となる外装体３と、
を有して構成される射精促進器具１において、
前記外装体３が、可撓性材料で形成されると共に、長手方向の一端側から他端側に延伸するスリット状透孔３１が複数本形成された構成であり、
更に、該外装体３の外周面には、長手方向に位置移動可能な締付リング体４が着脱可能に装着される構成であり、
前記締付リング体４の装着位置に応じて前記外装体３の直径が可変され、この外装体３の直径の可変によって該外装体３に嵌挿された前記筒状内装体２に対する嵌挿圧力が可変し、この嵌挿圧力の可変によって前記男性器挿入部２１に挿入される男性器に対する締付圧力を調節することが可能な構成となっている。
【００３１】
次に、各構成部材について更に詳説する。
【００３２】
先ず、筒状内装体２は、男性器挿入部２１に男性器を挿入することによって射精効果が得られる射精促進器具１の最主要な本体構成となる部分であり、具体的な構成例としてはこの種の射精促進器具に用いられる公知公用の構成（形状、材質、製造方法等）が採られており、例えば、本実施例では、リアルな人肌を模した色彩・質感を具備した発泡合成樹脂製であって、柔軟度の異なる外層部２２と内層部２３とから成る二層構成を採っている。
【００３３】
筒状内装体２の外層部２２は、例えば、エラストマー樹脂（クレイトン社製Ｇ１６５１）を１に対してオイル（モレスコ社製Ｐ−７０）を８の割合で混合したものを発泡成形して形成する。
【００３４】
また内層部２３は、例えば、エラストマー樹脂（クレイトン社製Ｇ１６５１）を１に対してオイル（モレスコ社製Ｐ−７０）を７の割合で混合したものを発泡成形して形成する。即ち、内層部２２を外層部２３よりも僅かに硬く形成することによって男性器の挿入感を向上させている。
【００３５】
更に内層部２３に形成される男性器挿入部２１は、図２に示すように長手方向に直線状ではなく僅かに蛇行させると共に内壁部２１Ａに起伏状凹凸を設けたり、或いは挿入口部２１Ｂや該挿入口部２１Ｂから内壁部２１Ａにかけての形状等の各部について、より自然なリアルな質感が得られるように構成されることが好ましい。
【００３６】
尚、筒状内装体２については、一度の使用で廃棄される使い切り仕様のものであってもよいし、複数回乃至は多数回の繰り返し使用可能な仕様のものであってもよい。尚また、男性器挿入部２１の形状や硬度、或いは内壁部２１Ａに形成される起伏状凹凸の形状等の各構成についても本実施例に限定されず、他の構成を採ることもできるし、種々の形状や質感を有する筒状内装体２や、種々様々な刺激が得られる起伏状凹凸の異なる弾性器挿入部２１を有するものを複数用意し、選択購入したり或いはセット購入して交換可能とする構成を採ることもできる。
【００３７】
次に、外装体３は、上記した柔軟素材からなる筒状内装体２を嵌挿した際にその形状を保持するためのケース体であり、男性器挿入部２１の挿入口部２１Ｂが外部に露出する以外は筒状内装体２の大部分を収納状態で格納する構成を有する。
【００３８】
筒状内装体２を嵌挿する際には、本実施例の外装体３は上端部分に設けられた係止部３３の係止を解除することによって下端に設けられた蝶番部３４を支点として縦方向に２分割され、２分割した外装体３の内部に筒状内装体２を嵌挿状態に収納した後、２分割した外装体３を元の状態に組み合わせ、再び係止部３３を係止する。
【００３９】
また、外装体３の材質としては、この種の射精促進器具のケース体として用いられる公知公用の素材である合成樹脂製であって且つ可撓性を有する素材で形成される。具体的な合成樹脂としては、例えば、ポリエチレン樹脂、ポリプロピレン樹脂、ポリ塩化ビニル樹脂、ナイロン樹脂、ウレタン樹脂、アクリル樹脂、ＡＢＳ樹脂、ポリカーボネート樹脂、スチロール樹脂、ポリスチレン樹脂、ＦＲＰ樹脂等、又はその他の素材等であって且つ可撓性を有するものから選択される。
【００４０】
また、外装体３は、前記したように長手方向の一端側から他端側に延伸するスリット状透孔３１が複数本形成された構成であり、このスリット状透孔３１のスリットとなる間隙の存在によって締付リング体４による締付けの際に各間隙の間隔が狭くなって該外装体３の直径が絞られるように可変することになる。
【００４１】
この締付リング体４による締付けは可撓性材料製の外装体３を介して締め付ける構成なので、柔軟素材製の筒状内装体２の外周面に装着されて直接締め付けた場合の局所的な締付けによる局所的な直径の絞りとは異なり、外装体３の撓みによって筒状内装体２の長手方向広範囲に亘って絞られて圧迫を受けることになる。従って、該筒状内装体２の男性器挿入部２１に挿入する男性器はその略全域に亘って絞られるように締め付けられることになるので、その刺激は人工的な作り物のような刺激ではなく、よりリアルな自然な刺激となるので射精促進効果が極めて高いという効果を有する。
【００４２】
更に外装体３は、締付リング体４が装着される位置であって且つ位置移動を行う範囲の部分における直径が長手方向の一方から他方に向かって無段階に又は段階的に大となる構成であることが好ましい。本実施例では、下方から上方に向かって、即ち、男性器挿入部２１の挿入口部２１Ｂ側に向かって外装体３の直径が５段階の段階的に大となる構成を採っている。かかる構成により、締付リング体４を挿入口部２１Ｂ方向に位置移動させることにより、外装体３の直径が絞られ、筒状内装体２に対する締付圧迫が強まることになる。
【００４３】
更にまた外装体３の外周面には、長手方向に任意の間隔で並ぶ複数の突起からなる位置設定突起部３２が設けられていることが好ましい。締付リング体４を長手方向に位置移動させる際、位置設定突起部３２を越えて位置移動させることにより該締付リング体４を長手方向に隣接する二つの位置設定突起部３２・３２間に留まることにより装着位置を任意の位置に設定することが可能となる。締付リング体４を他の装着位置に位置移動させる際には、位置設定突起部３２を越えての移動となるため該位置設定突起部３２がストッパーとして作用することになる。
【００４４】
尚、本実施例では、締付リング体４の長手方向における装着位置は５箇所を設定することが可能な構成となっており、図１は、締付リング体４を最も下端位置に装着した状態であり、この位置は締付リング体４による締付けが最も弱く設定されている（５段階の１）。図４は、締付リング体４を最も上端位置に装着した状態であり、この位置は締付リング体４による締付けが最強度に設定されている（５段階の５）。図５は、締付リング体４を中間位置に装着した状態であり、この位置は締付リング体４による締付けが中度に設定されている（５段階の３）。
【００４５】
前記締付リング体４は、前記したように外装体３の外周面に装着されることにより該外装体３を締め付けるものであり、本実施例では、薄肉部を介して一端部同士が接続された二つの半円弧状バンド部材の他端同士を該他端に設けた係止部４１の係止により接続して円環状を成す構成を有している。
【００４６】
以上の構成を有する本発明の射精促進器具１は、筒状内装体２の男性器挿入部２１が設けられた一端側を非使用時に被覆して保護するために、図６に示すようなキャップ体５が付加される構成であることが好ましい。
【００４７】
キャップ体５は、図７に示すように、筒状内装体２の男性器挿入部２１が設けられた一端側である前記外装体３の一端部分に着脱可能に装着される構成であることが好ましい。本実施例では、キャップ体５にロート状部５１が設けられた構成としており、該キャップ体５を外装体３に装着した際に、ロート状部５１のロート先部５１Ａが前記男性器挿入部２１に進入するように構成される。このロート状先部５１Ａの男性器挿入部２１内への進入により、前記男性器挿入部２１の内部にローションを流入ないし投入させることが極めて容易に且つこぼれることなく確実に可能となる。
【００４８】
射精促進器具１の男性器挿入部２１内へ流入させるローションは、男性器挿入部２１に挿入した男性器の潤滑性やマッサージ効果をより円滑にしたり、刺激を付加するためのものであり、この種の射精促進器具に用いられる公知公用のローションを特別の制限なく用いることができる。また、ローション構成としては、液体状、ゾル状、ゲル状、固体状、粒状、カプセル状、コアシェル状から選ばれる少なくとも一つであることが好ましく、コアシェル球状固形ローションと液体状のローションを併用することが特に好ましい。
【００４９】
コアシェル球状固形ローションの具体的構成例について下記する。
【００５０】
本発明に用いられるコアシェル球状固形ローションは、次の構成を有するものが好ましい。
【００５１】
１．コアシェル型の射精促進器具用球状固形潤滑ローションであって、
湿潤剤をコアとし、膜形成剤をシェルとすると共に、
上記コアは、液状体であり、
上記シェルは、球状固体であることを特徴とする射精促進器具用球状固形潤滑ローション。
【００５２】
２．湿潤剤が、グリセリン又は糖アルコールであることを特徴とする前記１に記載の射精促進器具用球状固形潤滑ローション。
【００５３】
３．膜形成剤が、多糖類又は多糖類誘導体であることを特徴とする前記１又は２に記載の射精促進器具用球状固形潤滑ローション。
【００５４】
４．シェルが、皮膜性、接着性向上のため、セラック又はツェインを含有することを特徴とする前記１〜３のいずれかに記載の射精促進器具用球状固形潤滑ローション。
【００５５】
５．直径が、０．５〜１５ｍｍであることを特徴とする前記１〜４のいずれかに記載の射精促進器具用球状固形潤滑ローション。
【００５６】
前記１に示すコアシェル球状固形ローションによれば、携帯性・趣向性に優れるのみならず、当初の刺激的使用感が得られる球状固体から、擦接によって次第に加温使用感が得られる液状体に可変するので、その使用感の点でも満足が得られる。
【００５７】
前記２に示すコアシェル球状固形ローションによれば、シェルが溶解後に得られる加温使用感が自然に近く得られる。
【００５８】
前記３に示すコアシェル球状固形ローションによれば、当初のゴリゴリした使用感を数分に亘って得られる。
【００５９】
前記４に示すコアシェル球状固形ローションによれば、当初のゴリゴリした使用感をより長きに亘って得られる。
【００６０】
前記５に示すコアシェル球状固形ローションによれば、当初のゴリゴリした使用感が最適化される。
【００６１】
前記コアシェル球状固形ローションにおけるコアを形成する液状体としての湿潤剤は、グリセリン又は糖アルコール（例えば、ソルビトール、マルチトール、キリシトール、トレハロース。）が好ましく、グリセリンに糖アルコールを併用することも好ましい。
【００６２】
前記コアシェル球状固形ローションにおけるシェルを形成する球状固定の膜形成剤は、使用に際し摩擦されると液化してクリーム状ないしジェル状になるものが好ましい。
【００６３】
膜形成剤としての多糖類又は多糖類誘導体としては、例えば、セルロースエーテル（例えば、メチルセルロース、ヒドキシプロピルセルロース。）、アルギン酸塩、カラギーナン、プルラン等があり、中でも、アルギン酸塩、カラギーナン、プルラン等のように親水性の性質を有するものが含まれていることが好ましい。上記セルロースエーテルは、セルロースの水酸基の一部（例えば、２／３。）がメトキシ基又はヒドロキシプロポキシ基で置換されており、この置換度の程度によって、親水性及び親油性の性質を持たせることができ、粘稠な溶剤であるので、通常、水に溶解させて適当な粘度に調整して用いることができる。
【００６４】
コアシェル球状固形ローションにおけるシェルは、皮膜性、接着性向上のため、セラック又はツェインを含有してもよい。セラックは、カイガラムシ科ラックカイガラムシの分泌する樹脂状物質であり、一方、ツェインは、トウモロコシ蛋白の一種であり、少なくともいずれか一方を公知の範囲で用いることが好ましい。
【００６５】
コアシェル構造の球状固形ローションは、公知の方法によって作成できる。
コアシェル球状固形ローションの製造法の１つは、界面張力（表面張力）を利用した下記装置によることである。
【００６６】
２種のノズルから、タンクに貯留すると共に、液状にした（水溶液とすることが好ましい。）膜形成剤を外側に、別のタンクに貯留した液状の湿潤剤を内側に流し出し、ノズルに振動を与えて一定の間隔で振るえさせると、液は一粒分の量に切断され、クーラント液中に滴下され、このように切断されると、界面張力によって外側の液状にした膜形成剤が内側の液状湿潤剤を包み込んで球状のコアシェル構造体になる。この球状のコアシェル構造体が冷却されたクーラント液で冷却（又は化学反応させてたりする。）され、外側の膜形成剤を固形化する。なお、ノズルを多重化することによって２以上のシェルを作成することも可能である。
【００６７】
コアシェル球状固形ローションは、直径が０．５〜１５ｍｍ程度が好ましく、更に２〜８ｍｍ、特に１〜５ｍｍが望ましい。コアとシェルとの比率は、シェルを１質量部としたとき、コアが３〜１０質量部が好ましく、特に４〜８質量部が望ましい。
【００６８】
コアシェル球状固形ローションは、本発明の射精促進器具において、公知の液体状潤滑ローションと共に、又は単独で用いることができる。公知の液体状潤滑ローションとしては、この種の射精促進器具に用いることができるものの他、化粧用など、いずれであってもよい。
【符号の説明】
【００６９】
１  射精促進器具
２  筒状内装体
２１  男性器挿入部
２１Ａ  内壁部
２１Ｂ  挿入口部
２２  外層部
２３  内層部
３  外装体
３１  スリット状透孔
３２  位置設定突起部
３３  係止部
３４  蝶番部
４  締付リング体
４１  係止部
５  キャップ体
５１  ロート状部
５１Ａ  ロート先部
【図１】
2015112317.tif 000003
【図２】
2015112317.tif 000004
【図３】
2015112317.tif 000005
【図４】
2015112317.tif 000006
【図５】
2015112317.tif 000007
【図６】
2015112317.tif 000008
【図７】
2015112317.tif 000009